【手続補正書】
【提出日】平成18年5月17日(2006.5.17)
【手続補正１】
【補正対象書類名】特許請求の範囲
【補正対象項目名】全文
【補正方法】変更
【補正の内容】
【特許請求の範囲】
【請求項１】
ハンドルと、
前記ハンドルから延在し、近位端と、開口部を含む遠位端とを有するシャフトと、
前記開口部に向かって縫合ワイヤを移動させ案内する第一のチャネルと、
前記第一のチャネルから延在する第二のチャネルであって、前記第二のチャネルにて前記縫合ワイヤが移動する際、前記縫合ワイヤに湾曲を付与する第二のチャネルと、
前記縫合ワイヤを切断する切断具と、
前記シャフトの遠位端近傍に位置し、前記縫合ワイヤと係合し、前記第二のチャネルにて前記縫合ワイヤを移動させるために協働するように配置されるワイヤ駆動と、を備える縫合器具であって、
前記縫合ワイヤが、前記開口部から出て行く際、ワイヤループ縫合を形成する、縫合器具。
【請求項２】
前記ワイヤ駆動が、カムと、前記縫合ワイヤと係合するカム従動子と、を備える、請求項１に記載の縫合器具。
【請求項３】
前記カム従動子が、前記縫合ワイヤと係合する、請求項２に記載の縫合器具。
【請求項４】
前記カムが、傾斜面を有する部材を備え、前記カム従動子が、前記縫合ワイヤと係合するように前記傾斜面に沿って移動可能であるディスクを備える、請求項２又は３に記載の縫合器具。
【請求項５】
前記カム及び前記カム従動子が、前記シャフト内に位置する、請求項２ないし４のうち何れか一項に記載の縫合器具。
【請求項６】
前記ワイヤ駆動が、前記縫合ワイヤの近位への移動に抵抗するように、前記縫合ワイヤと係合する要素を備える、請求項１ないし５のうち何れか一項に記載の縫合器具。
【請求項７】
ハンドルと、
前記ハンドルへ移動可能に設置されたレバーと、
前記ハンドルから延在し、近位端と、開口部を含む遠位端とを有するシャフトと、
前記開口部に向かって縫合ワイヤを移動させ案内する第一のチャネルと、
前記第一のチャネルから延在する第二のチャネルであって、前記第二のチャネルにて前記縫合ワイヤが移動する際、前記縫合ワイヤに湾曲を付与する第二のチャネルと、
前記縫合ワイヤを切断する切断具と、
前記縫合ワイヤを前記第二のチャネルにて移動させるワイヤ駆動と、を備える縫合器具であって、
前記縫合ワイヤが、前記開口部から出て行く際、ワイヤループ縫合を形成し、行動範囲の第一の部分から第一の方向への前記レバーの移動が、前記第二のチャネルにおける前記縫合ワイヤを移動させるように前記ワイヤ駆動を動作させ、前記レバーが前記ワイヤ駆動と連結し、前記縫合ワイヤを移動させるように前記ワイヤ駆動を動作させることなしに、前記レバーが、行動範囲の第二の部分から前記第一の方へも移動可能である、縫合器具。
【請求項８】
前記行動範囲の第二の部分におけるレバーの移動が、前記縫合ワイヤを切断するように切断具を動作させ、一つの完成したワイヤループ縫合が、前記器具に取り付けられている残りの縫合ワイヤから切断される、請求項７に記載の縫合器具。
【請求項９】
前記ワイヤ駆動が、前記第二のチャネルにおける前記縫合ワイヤを移動させるように、前記縫合ワイヤの側面と係合する、請求項１ないし８のうち何れか一項に記載の縫合器具。
【請求項１０】
前記切断具が、前記シャフトの一部分に沿って延在する駆動チューブを備え、前記ワイヤ駆動が、少なくとも部分的に前記駆動チューブ内に位置する、請求項１ないし９のうち何れか一項に記載の縫合器具。
【請求項１１】
前記第二のチャネル及び前記開口部が、前記縫合ワイヤが前記開口部から出る際、略遠位方向に延在する、請求項１ないし１０のうち何れか一項に記載の縫合器具。
【請求項１２】
前記ワイヤ駆動が、前記第二のチャネルにて前記縫合ワイヤを移動させ、前記縫合ワイヤの自由端が、前記開口部から移動し、前記自由端が前記器具に向かって戻るように湾曲経路をたどる、請求項１ないし１１のうち何れか一項に記載の縫合器具。
【請求項１３】
前記ワイヤ駆動は、前記縫合ワイヤの自由端が組織を貫通するのに十分な力で、前記開口部から前記縫合ワイヤを移動させる、請求項１ないし１２のうち何れか一項に記載の縫合器具。
【請求項１４】
前記遠位端における前記開口部から駆動される縫合ワイヤにより略円形のワイヤループ縫合を形成する、請求項１ないし１３のうち何れか一項に記載の縫合器具。
【請求項１５】
前記切断具が、前記縫合ワイヤを切断するように前記第二のチャネルの一部分とともに協働する、請求項１ないし１４のうち何れか一項に記載の縫合器具。
【請求項１６】
前記切断具が、遠位置に移動して前記縫合を切断する切断棒を備える、請求項１ないし１５のうち何れか一項に記載の縫合器具。
【請求項１７】
前記切断具は、形成されたワイヤループ縫合が前記器具に取り付けられた残りの縫合ワイヤから解放するように、前記縫合ワイヤを切断する、請求項１ないし１６のうち何れか一項に記載の縫合器具。
【請求項１８】
前記ワイヤ駆動が、前記シャフト内で軸方向に前記縫合ワイヤを移動させる、請求項１ないし１７のうち何れか一項に記載の縫合器具。
【請求項１９】
前記第二のチャネルが、凸部分及び凹部分を有する“Ｓ”字形の部分を含む、請求項１ないし１８のうち何れか一項に記載の縫合器具。
【請求項２０】
前記切断具が、前記凸部分と前記凹部分との間の位置の前記縫合ワイヤを切断する、請求項１ないし１９のうち何れか一項に記載の縫合器具。
【請求項２１】
連続長の縫合ワイヤをさらに備え、前記器具が、前記連続長の縫合ワイヤからの複数のワイヤループ縫合を形成する、請求項１ないし２０のうち何れか一項に記載の縫合器具。
【請求項２２】
最小限の侵襲性外科手術に用いられる、請求項１なしし２１のうち何れか一項に記載の縫合器具。
【請求項２３】
前記遠位端における凹部をさらに備え、前記凹部が縫合されるべき組織又は材料を収容する、請求項１ないし２２のうち何れか一項に記載の縫合器具。
【請求項２４】
前記凹部が、前記ワイヤループ縫合を形成する一部分の縫合ワイヤと密接に適合する湾曲溝を備える、請求項２３に記載の縫合器具。
【請求項２５】
前記湾曲溝が、前記縫合ワイヤの自由端を前記湾曲溝へ案内する貝殻皿表面を備える、請求項２４に記載の縫合器具。
【請求項２６】
前記凹部が、中央溝と、前記中央溝の反対の側面における一対の側面凹部と、を備え、前記中央溝が、前記ワイヤループ縫合を形成するように前記開口部から駆動させる縫合ワイヤを収容し、前記一対の側面凹部が、配置される遠位端に対して柔軟な面の一部を収容する、請求項２３に記載の縫合器具。
【請求項２７】
前記切断具が、前記ワイヤループ縫合を形成する縫合ワイヤの末端を切断し、前記ループの中央に対して内側に前記末端の一部を曲げる、請求項１ないし２６のうち何れか一項に記載の縫合器具。
【請求項２８】
ワイヤループ縫合の形成方法であって、
縫合器具の遠位端近傍に位置するワイヤ駆動により縫合ワイヤを係合させる工程と、
前記ワイヤ駆動によりチャネルにおいて遠位に前記縫合ワイヤを駆動させる工程であって、前記チャネルは、前記縫合ワイヤが通過する際、前記縫合ワイヤに湾曲を付与するように形付けられている工程と、
前記チャネルにて前記縫合ワイヤを曲げる工程であって、前記器具から出ると、前記縫合ワイヤがワイヤループ縫合を形成する工程と、
前記器具から前記ワイヤループ縫合を解放するように、前記縫合ワイヤを切断する工程と、
を含む形成方法。
【請求項２９】
ワイヤループ縫合の形成方法であって、
外科手術器具のワイヤ駆動を動作させるように、前記外科手術器具のレバーを行動範囲の第一の部分から第一の方向へ移動させる工程と、
前記ワイヤ駆動によりチャンネルにおいて遠位に前記縫合ワイヤを駆動させる工程であって、前記チャネルは、前記縫合ワイヤが通過する際、前記縫合ワイヤに湾曲を付与するように形付けられている工程と、
前記チャネルにて前記縫合ワイヤを曲げる工程であって、前記器具から出ると、前記縫合ワイヤがワイヤループ縫合を形成する工程と、
前記チャネルにて前記縫合ワイヤを移動させるように前記ワイヤ駆動を動作させることなしに、行動範囲の第二の部分から前記第一の方向へ前記レバーを移動させる工程と、
前記器具から前記ワイヤループ縫合を解放するように、前記縫合ワイヤを切断する工程と、
を含む形成方法。
【請求項３０】
前記行動範囲の第二の部分のレバーの移動により、前記縫合ワイヤを切断するように切断具を動作させる、請求項２９に記載の形成方法。
【請求項３１】
前記縫合ワイヤの駆動は、組織を貫通するのに十分な力で前記縫合ワイヤを駆動させることを含む、請求項２８ないし３０のうち何れか一項に記載の形成方法。
【請求項３２】
前記器具の遠位端における凹部内にて、縫合すべき組織又は材料を収容する工程を、さらに含む、請求項２８ないし３１のうち何れか一項に記載の形成方法。